(57)【要約】【課題】ユーザの利便性を向上させる。【解決手段】紙葉類集積部（紙葉類集積装置）５４において、コイル７０は、コイル軸７１の延長が積重予定面と交差し且つ下端部が積重予定面に近接する状態で、集積空間内に設けられている。そして、コイル７０は、突入紙幣の一端部を支持した状態でコイル軸７１を回転軸として回転することで、突入紙幣を積重予定面に向けて移動させ、突入紙幣の一端部を支持した状態から解放して積重予定面に積層させる。そして、コイル７０は、積重予定面に積み重ねられた紙幣を押圧する。すなわち、コイル７０は、紙幣の案内部及び押さえ付け部の両方の機能を有している。【選択図】図３
2015191579.tif 000002
【特許請求の範囲】
【請求項１】
紙葉類を集積するための空間内へ紙葉類を投入する投入部と、
前記投入された紙葉類の一端部を支持した状態で、前記投入された紙葉類を、前記投入された紙葉類が積み重ねられる積重予定面に向けて移動させ、前記投入された紙葉類の一端部を前記支持した状態から解放して前記積重予定面に積層させる、案内部と、
を具備し、
前記案内部は、コイルの軸の延長が前記積重予定面と交差し且つ一端部が前記積重予定面に近接する状態で、前記空間内に設けられた第１のコイルを含む、
ことを特徴とする紙葉類積層装置。
【請求項２】
前記案内部は、前記第１のコイルの他端部において前記投入された紙葉類の一端部を前記軸が交差する状態で支持し、前記軸を回転軸として回転することによって、前記投入された紙葉類の一端部を前記第１のコイルの一端部まで移動させ、前記投入された紙葉類の一端部を前記支持した状態から解放し、前記第１のコイルの一端部において前記第１のコイルの弾性力によって前記積重予定面に積み重ねられた紙葉類を押圧する、
ことを特徴とする請求項１に記載の紙葉類集積装置。
【請求項３】
前記案内部は、前記第１のコイルと逆巻きであり且つ前記投入された紙葉類の他端部を支持する第２のコイルを有し、
前記第１のコイルの軸と前記第２のコイルの軸との離間距離は、前記集積の対象である紙葉類の幅から前記第１のコイルの半径と前記第２のコイルの半径との和を減算した値よりも大きく、且つ、前記集積の対象である紙葉類の幅よりも小さい、
ことを特徴とする請求項１又は２に記載の紙葉類集積装置。
【発明の詳細な説明】
【技術分野】
【０００１】
本発明は、紙葉類集積装置に関する。
【背景技術】
【０００２】
従来、紙葉類取扱い装置には、現金自動預払機（ＡＴＭ：Automated  Teller  Machine）、銀行窓口に設置される紙幣入出金装置、及び、スーパーマーケットに設置され顧客自身で精算を行うためのセルフチェックアウトレジスタ等がある。
【０００３】
紙葉類取扱い装置には、例えば、返却する複数枚の紙葉類（例えば、紙幣）を、紙葉類を集積するための空間（以下では、「集積空間」と呼ぶことがある）に集積し、集積した複数枚の紙葉類を纏めて出力口から排出する、「紙葉類集積部（つまり、紙葉類集積装置）」が備えられているものがある。
【先行技術文献】
【特許文献】
【０００４】
【特許文献１】特開２００１−１４３１２８号公報
【発明の概要】
【発明が解決しようとする課題】
【０００５】
しかしながら、丸まる癖のついた第１の紙葉類が紙葉類集積部に投入されると、第１の紙葉類の後に投入された他の紙葉類の重さで潰されて折り曲がってしまう可能性がある。又は、丸まる癖のついた第１の紙葉類が紙葉類集積部に投入されると、集積空間に集積された第１の紙葉類の後端部が投入口側に捲れ上がって、第１の紙葉類の次に投入される第２の紙葉類の先端部が第１の紙葉類の捲れ上がった部分に衝突する可能性がある。この衝突は、紙葉類集積部における紙葉類の収容を乱れさせる可能性がある。このような紙葉類の折り曲がり及び収容乱れは、ジャム等を引き起こして、紙葉類取扱い装置が利用不能状態となる原因となり、結果として、ユーザの利便性が低下してしまう可能性がある。
【０００６】
開示の技術は、上記に鑑みてなされたものであって、ユーザの利便性を向上させることができる、紙葉類集積装置を提供することを目的とする。
【課題を解決するための手段】
【０００７】
開示の態様では、紙葉類積層装置は、紙葉類を集積するための空間内へ紙葉類を投入する投入部と、前記投入された紙葉類の一端部を支持した状態で、前記投入された紙葉類を、前記投入された紙葉類が積み重ねられる積重予定面に向けて移動させ、前記投入された紙葉類の一端部を前記支持した状態から解放して前記積重予定面に積層させる、案内部と、を具備する。前記案内部は、コイルの軸の延長が前記積重予定面と交差し且つ一端部が前記積重予定面に近接する状態で、前記空間内に設けられた第１のコイルを含む。
【発明の効果】
【０００８】
開示の態様によれば、ユーザの利便性を向上させることができる。
【図面の簡単な説明】
【０００９】
【図１】図１は、実施例１の紙葉類集積装置を有する紙葉類取扱い装置の外観例を示す図である。
【図２】図２は、実施例１の紙葉類取扱い装置の一例を示す概略図である。
【図３】図３は、実施例１の紙葉類集積部の一例を示す図である。
【図４】図４は、実施例１のコイルの一例を示す概略図である。
【図５】図５は、実施例１の紙葉類集積部の構成例を示す図である。
【図６】図６は、実施例１の紙葉類集積部の構成例を示す図である。
【図７】図７は、実施例１の紙葉類集積部の構成例を示す図である。
【図８】図８は、紙幣集積部の動作の説明図である。
【図９】図９は、紙幣集積部の動作の説明図である。
【図１０】図１０は、紙幣集積部の動作の説明図である。
【図１１】図１１は、他の実施例の紙葉類集積部の概略図である。
【図１２】図１２は、他の実施例の紙葉類集積部の概略図である。
【発明を実施するための形態】
【００１０】
以下に、本願の開示する紙葉類集積装置の実施形態を図面に基づいて詳細に説明する。なお、この実施形態により本願の開示する紙葉類集積装置が限定されるものではない。また、実施形態において同一の機能を有する構成には同一の符号を付し、重複する説明は省略される。また、以下では、一例として紙葉類集積装置を有する紙葉類取扱い装置がセルフチェックアウトレジスタであることを前提に説明を行うが、これに限定されるものではない。また、以下では、紙葉類集積装置が紙葉類取扱い装置に設けられた出金用の紙幣集積部であることを前提に説明を行うが、これに限定されるものではない。
【００１１】
［実施例１］
［紙葉類取扱い装置の構成例］
図１は、実施例１の紙葉類集積装置を有する紙葉類取扱い装置の外観例を示す図である。図１において、紙葉類取扱い装置１０は、装置筐体１２を有している。図１は、紙葉類取扱い装置１０を右斜め上から見た斜視図である。すなわち、図１においてタッチパネル１４が取り付けられている側が、紙葉類取扱い装置１０の「前」である。
【００１２】
装置筐体１２の前面の左側上方位置には、タッチパネル１４が配設されている。タッチパネル１４は、ユーザに対して提示する各種情報を表示すると共に、ユーザによる操作を受け付ける。
【００１３】
装置筐体１２の前面においてタッチパネル１４の下側には、スキャナ１６が配設されている。スキャナ１６は、顧客が購入を希望する商品（つまり、購入希望商品）に付されたコードシンボルがかざされると、そのコードシンボルの情報を読み取って、読み取った情報を制御部（図示せず）へ出力する。尚、コードシンボルとは、例えば、１次元バーコードコードや２次元バーコード等である。
【００１４】
スキャナ１６の下側の位置には、装置筐体１２の前面から立ち上がる秤部１８が設けられている。秤部１８は、ユーザによって載置された購入希望商品の重量を計測し、計測した重量に関する情報を制御部（図示せず）へ出力する。これにより、制御部（図示せず）は、スキャナ１６によって情報が読み取られた商品と、重量が計測された商品とが一致するか否かを判定する「チェック処理」を行うことができる。
【００１５】
また、装置筐体１２の前面の右側上方位置には、紙幣投入口２０及び硬貨投入口２２が左右に並んで設けられている。紙幣投入口２０及び硬貨投入口２２は、顧客が支払い代金を払う際に、用いられる。紙幣投入口２０には、支払い代金のうちの紙幣が投入される。また、硬貨投入口２２には、支払い代金のうちの硬貨が投入される。
【００１６】
装置筐体１２の前面において紙幣投入口２０及び硬貨投入口２２の下側の位置には、カードリーダ２４が配設されている。
【００１７】
装置筐体１２の前面においてカードリーダ２４の下側の位置には、レシート発行口２６及び硬貨排出口２８が設けられている。決済終了時には、レシート発行口２６からレシートが排出される。また、決済終了時及び取引中止時等には、硬貨排出口２８から、お釣り及び返却等の対象である硬貨が排出される。
【００１８】
装置筐体１２の前面においてレシート発行口２６及び硬貨排出口２８の下側の位置には、紙幣排出口３０が設けられている。決済終了時及び取引中止時等には、紙幣排出口３０から、お釣り及び返却等の対象である紙幣が排出される。
【００１９】
装置筐体１２の前面において紙幣排出口３０の下側の位置には、クーポン投入口３２が設けられている。クーポン投入口３２の下側には、扉３４が設けられている。管理者は、この扉３４を開けて、例えば、後述する回収部５２に回収された紙幣を取り出す。
【００２０】
図２は、実施例１の紙葉類取扱い装置の一例を示す概略図である。図２には、紙葉類取扱い装置１０の主要構成が示され、特に、紙幣の受入及び排出に関わる構成が示されている。図２において、紙葉類取扱い装置１０は、紙葉類受入部４２と、搬送部４４と、鑑別部４６と、一時保留部４８と、還流部５０と、回収部５２と、紙葉類集積部（紙幣集積装置）５４とを有する。
【００２１】
紙葉類受入部４２は、上記の紙幣投入口２０から投入された紙幣を受け入れ、受け入れた紙幣を搬送部４４へ送出する。
【００２２】
搬送部４４は、紙葉類受入部４２と、鑑別部４６と、一時保留部４８と、還流部５０と、回収部５２と、紙葉類集積部５４とに接続されている。また、搬送部４４は、搬送ガイド、ローラ、駆動モータ、及びルート切り替えゲートを含む複数種類の搬送路形成部品を有し、当該複数種類の搬送路形成部品によって搬送路が形成されている。そして、搬送部４４は、例えば、紙幣投入口２０に投入された紙幣を一枚ずつ、鑑別部４６を経由して一時保留部４８へ搬送する。そして、顧客によって取引の中止等が為されなければ、搬送部４４は、一時保留部４８に保留された紙幣を一枚ずつ、還流部５０へ搬送する。
【００２３】
鑑別部４６は、搬送される紙幣が正常紙幣であるか「リジェクト紙幣」であるかを鑑別する。そして、例えば、正常紙幣は、搬送部４４を介して、一時保留部４８に一時保留される一方、「リジェクト紙幣」は、紙葉類集積部５４を介して、紙幣排出口３０から排出される。「リジェクト紙幣」とは、例えば、汚れた紙幣や破損している紙幣や折れ曲がっている紙幣等で、正常な紙幣であるが、正常な紙幣と認識できなかった場合の紙幣が異常な紙幣である。
【００２４】
一時保留部４８は、搬送部４４によって搬送されてきた紙幣を一時保留（収納）し、一時保留した紙幣を搬送部４４へ放出する。
【００２５】
還流部５０は、紙幣投入口２０から投入され、紙葉類受入部４２、鑑別部４６、一時保留部４８、及び搬送部４４を介して受け取った紙幣を収納する。また、還流部５０は、例えば制御部（図示せず）から出金命令を受け取ると、出金命令の示す金種及び枚数に対応する紙幣を搬送部４４に繰り出す。繰り出された紙幣は、搬送部４４、鑑別部４６、一時保留部４８、及び紙葉類集積部５４を介して、紙幣排出口３０から排出される。このように、還流部５０によって入金紙幣を出金紙幣として用いることができる。すなわち、還流部５０によって紙幣の還流が可能となっている。
【００２６】
回収部５２は、紙幣の回収処理時に、還流部５０から繰り出された紙幣を、搬送部４４を介して受け取って収納する。この回収部５２に収納された紙幣を管理者が回収することにより、管理者は容易に紙幣を回収することができる。
【００２７】
紙葉類集積部（紙葉類集積装置）５４は、例えば、出金用の紙幣を「集積空間」に集積し、集積した紙幣を紙幣排出口３０から排出（出力）する。
【００２８】
図３は、実施例１の紙葉類集積部の一例を示す図である。図３は、紙葉類集積部５４を紙葉類取扱い装置１０の左側から透かして見た模式図である。すなわち、図３の左を、紙葉類集積部の「後」とし、図３の右を、紙葉類集積部の「前」とし、図３の上を、紙葉類集積部の「上」とし、図３の下を、紙葉類集積部の「下」とする。
【００２９】
紙葉類集積部５４の後端部には、ローラ６２が設けられている。ローラ６２の上方には、ローラ６４が配設されている。ローラ６２及びローラ６４は、搬送部４４によって搬送されてきた紙幣を側方上側から「集積空間」へ順次投入する。すなわち、ローラ６２及びローラ６４は、「集積空間」へ紙幣を投入する「投入部（投入口）」として機能する。
【００３０】
紙葉類集積部５４の下端部で、且つ、ローラ６２及びローラ６４の前側には、底板６６が配設されている。底板６６の上面には、上記の投入部から投入された紙幣が積み重ねられる。すなわち、底板６６の上側の空間が「集積空間」である。図３には、紙幣Ｂ１〜Ｂ４が底板６６の上面に積層され、紙幣Ｂ５が上記の投入部から投入されている状態が示されている。なお、以下では、上記の投入部から投入される紙幣を「突入紙幣」と呼ぶことがある。
【００３１】
紙葉類集積部５４の前端部には、前壁６８が設けられている。前壁６８は、底板６６の上面から立ち上がるように設けられている。上記の投入部から投入された紙幣は、紙幣の先端部が前壁６８に衝突して停止される。すなわち、前壁６８は、投入された紙幣の「ストッパー」として機能する。
【００３２】
底板６６の後端部の上方、つまり、ローラ６２及びローラ６４の前側には、コイル７０が設けられている。コイル７０は、コイル７０の軸（以下では、「コイル軸」と呼ばれることがある）の延長が「積重予定面」と交差し且つ一端部（つまり、下端部）が「積重予定面」に近接する状態で、集積空間内に設けられている。「積重予定面」とは、突入紙幣が積み重ねられる面（領域）である。すなわち、１枚目の突入紙幣の積重予定面は、底板６６の上面であり、２枚目以降の突入紙幣は、それの１つ前に投入され且つ積み重ねられた紙幣の上面である。
【００３３】
図４は、実施例１のコイルの一例を示す概略図である。図４に示すように、コイル７０は、棒状部材が螺旋状に巻かれて形成されている。すなわち、コイル７０は、バネ形状に形成されている。ここで、コイル軸７１からコイル７０までの距離、つまり、「コイル半径」を「ｒ」で表し、コイル７０の「コイルピッチ」を「ｐ」で表す。例えば、ｐは、３〜１０ｍｍである。また、例えば、コイル７０は、少なくとも３〜５巻きである。
【００３４】
図３の説明に戻り、コイル７０は、突入紙幣の一端部を支持した状態で、突入紙幣を「積重予定面」に向けて移動させ、突入紙幣の一端部を支持した状態から解放して積重予定面に積層させる。すなわち、コイル７０は、それのコイル軸７１を回転軸として回転することによって、突入紙幣の一端部をコイル７０の一端部まで移動させ、突入紙幣の一端部を支持した状態から解放する。すなわち、コイル７０は、突入紙幣を積重予定面まで案内する「案内部」として機能する。そして、コイル７０は、それの一端部（つまり、下端部）においてコイル７０の弾性力によって、積重予定面に積み重ねられた紙幣を押圧する。すなわち、コイル７０は、「押さえ部」としても機能する。これにより、集積空間に積み重ねられた紙幣が捲れ上がるのを防止することができる。
【００３５】
図５〜７は、実施例１の紙葉類集積部の構成例を示す図である。例えば、紙葉類集積部５４は、図５に示すように、コイル７０−１，２を有している。図５において、紙葉類集積部５４の前側上方（つまり、図５の左側上方）から見たときに、コイル７０−１は、時計回りに螺旋を巻いている一方、コイル７０−２は、反時計回りに螺旋を巻いている。そして、突入紙幣Ｂは、コイル７０−１及びコイル７０−２の第１の「ピッチ空間」をすり抜けて、それの先頭部が前壁６８に衝突して停止する。「ピッチ空間」とは、コイル７０において１ピッチ離れた、２つの部分の間に存在する空間である。このとき、突入紙幣Ｂの後部の左右両端部は、それぞれ、コイル７０−１及びコイル７０−２における、上記の第１のピッチ空間の下側に位置する部分によって支持される。ここで、突入紙幣Ｂは、コイル７０−１及びコイル７０−２における、第１のピッチ空間の上側に位置する部分、及び、下側に位置する部分によって挟まれている。これにより、突入紙幣Ｂに丸まり癖が付いていても、突入紙幣Ｂが捲れ上がることが防止される。
【００３６】
そして、図６に示すように、紙葉類集積部５４の前側上方（つまり、図６の左側上方）から見たときに、コイル７０−１は、それのコイル軸７１−１を回転軸として、反時計回りに回転する一方、コイル７０−２は、それのコイル軸７１−２を回転軸として、時計回りに回転している。この回転によって、突入紙幣の後部は、積重予定面に向けて移動される。すなわち、突入紙幣は、上記の第１のピッチ空間よりも積重予定面に近い第２のピッチ空間に移動する。これにより、第１の突入紙幣がその前に投入され且つ第２のピッチ空間に移動された第２の突入紙幣と衝突することを回避できる。
【００３７】
ここで、図７に示すように、紙幣Ｂの幅をｗとした場合、コイル７０−１のコイル軸７１−１とコイル７０−２のコイル軸７１−２との離間距離ｄは、幅ｗからコイル７０−１の半径ｒ１とコイル７０−２の半径ｒ２との和を減算した値、つまり、ｄ−（ｒ１＋ｒ２）よりも大きく、且つ、幅ｗよりも小さい。すなわち、コイル７０−１及びコイル７０−２は、コイル７０−１のコイル軸７１−１の延長線及びコイル７０−２のコイル軸７１−２の延長線のいずれもが積重予定面と交差するように、集積空間内に配設されている。また、換言すれば、突入紙幣Ｂが投入されてそれの先頭部が前壁６８に衝突するまでの軌跡（つまり、「通過予定曲面」）は、コイル７０−１のコイル軸７１−１及びコイル７０−２のコイル軸７１−２のいずれとも交差する。このように軸芯を持たないコイル７０−１及びコイル７０−２を用いることにより、離間距離ｄを幅ｗよりも小さくできるので、紙葉類集積部５４を小型化することができる。
【００３８】
［紙葉類取扱い装置の動作例］
以上の構成を有する紙葉類取扱い装置の動作例について説明する。ここでは、特に、紙葉類集積部５４の動作例について説明する。図８〜１０は、紙幣集積部の動作の説明図である。
【００３９】
まず、紙葉類集積部５４に対する紙幣の集積処理が開始されると、ローラ６２及びローラ６４を含む上記の投入部から、１枚目の紙幣Ｂ１が集積空間へ投入される。
【００４０】
投入された紙幣Ｂ１は、コイル７０の第１のピッチ空間をすり抜け、それの後部の一端部が第１のピッチ空間の下側に位置する部分によって支持される。
【００４１】
そして、コイル７０は、それのコイル軸７１を回転軸として回転する。これにより、紙幣Ｂ１の後部は、上記の第１のピッチ空間よりも積重予定面に近い第２のピッチ空間に移動する。
【００４２】
次に、２枚目の紙幣Ｂ２が、図８に示すように、上記の投入部から集積空間へ投入される。２枚目の紙幣Ｂ２は、コイル７０の第１のピッチ空間をすり抜ける。このとき、コイル７０は、１枚目の紙幣Ｂ１は、既に第２のピッチ空間に移動させている。これにより、１枚目の紙幣Ｂ１と２枚目の紙幣Ｂ２との衝突を回避できる。また、図９に示すように、突入紙幣Ｂの通過予定曲面は、第１のピッチ空間を横切ると共に、コイル７０のコイル軸７１と交差する。これにより、通過予定曲面とコイル７０とを大きくオーバーラップさせることができるので、紙葉類集積部５４を小型化することができる。
【００４３】
そして、コイル７０はそれのコイル軸７１を回転軸として回転し続け、１枚目の紙幣Ｂ１の一端部をコイル７０の下端部まで移動させ、積重予定面（つまり、底板６６）に解放する。そして、コイル７０は、それの下端部において、積重予定面に解放された１枚目の紙幣Ｂ１を底板６６に押さえつける。
【００４４】
このように、紙幣の投入、移動、解放、及び押さえ付けを繰り返すことにより、集積空間に紙幣が積層される。図１０には、紙幣Ｂ１〜Ｂ４が底板６６の上面に積層され、紙幣Ｂ５がコイル７０によって積重予定面に向けて移動されている途中であり、紙幣Ｂ６が上記の投入部から投入されている状態が示されている。
【００４５】
紙幣の集積処理が終了すると、紙幣の放出（出力）処理が開始する。紙幣の放出処理が開始すると、紙葉類集積部５４の出力口（図示せず）から、集積された紙幣が放出（出力）される。
【００４６】
以上のように本開示の実施例によれば、紙葉類集積部（紙葉類集積装置）５４において、紙幣の「案内部」としてのコイル７０は、コイル軸７１の延長が積重予定面と交差し且つ下端部が積重予定面に近接する状態で、集積空間内に設けられている。すなわち、コイル７０は、「案内部」及び「押さえ付け部」の両方の機能を有している。
【００４７】
この紙葉類集積部（紙葉類集積装置）５４の構成により、集積空間に積層された紙幣をコイル７０によって常に押さえ付けることができるので、紙幣の捲れ上がりに起因する紙幣の折り曲がり及び収容乱れを防止できる。この結果、ジャム等が生じる可能性を低減できるので、紙葉類取扱い装置１０が利用不能状態となる可能性を低減でき、結果として、ユーザの利便性を向上させることができる。また、コイル７０が積層空間内に設けられているので、紙葉類集積部（紙葉類集積装置）５４の上下方向のスケールを小さくすることができる。すなわち、紙葉類集積部（紙葉類集積装置）５４を小型化することができる。因みに、積み重なった紙幣の枚数が増えて束が厚くなるとコイル７０は縮むので、集積空間を十分に確保することができる。
【００４８】
また、紙葉類集積部（紙葉類集積装置）５４において、ローラ６２及びローラ６４を含む投入部は、「通過予定曲面」がコイル７０の第１のピッチ空間を横切るように、紙幣を投入する。
【００４９】
この紙葉類集積部（紙葉類集積装置）５４の構成により、「案内部」としてのコイル７０が投入された紙幣の動きを阻害することを回避できるで、紙幣の収容乱れを防止することができる。
【００５０】
また、「通過予定曲面」は、コイル７０のコイル軸７１と交差する。
【００５１】
この紙葉類集積部（紙葉類集積装置）５４の構成により、通過予定曲面とコイル７０とを大きくオーバーラップさせることができるので、紙葉類集積部５４を小型化することができる。
【００５２】
また、紙葉類集積部（紙葉類集積装置）５４は、コイル７０−１及びコイル７０−２を有し、「通過予定曲面」は、コイル７０−１のコイル軸７１−１及びコイル７０−２のコイル軸７１−２のいずれとも交差する。すなわち、コイル７０−１のコイル軸７１−１とコイル７０−２のコイル軸７１−２との離間距離ｄは、幅ｗからコイル７０−１の半径ｒ１とコイル７０−２の半径ｒ２との和を減算した値、つまり、ｄ−（ｒ１＋ｒ２）よりも大きく、且つ、幅ｗよりも小さい。
【００５３】
この紙葉類集積部（紙葉類集積装置）５４の構成により、紙葉類集積部５４の左右方向のスケールを小さくすることができる。すなわち、紙葉類集積部（紙葉類集積装置）５４を小型化することができる。
【００５４】
［他の実施例］
［１］実施例１では、紙葉類集積部（紙葉類集積装置）５４にコイル７０−１及びコイル７０−２が設けられているものとして説明を行ったが、コイル７０の数はこれに限定されるものではない。図１１は、他の実施例の紙葉類集積部の概略図である。例えば、図１１に示すように、紙葉類集積部（紙葉類集積装置）５４において、コイル７０−１及びコイル７０−２よりも前側、つまり、ローラ６２及びローラ６４を含む投入部から離れた位置に、コイル７０−３及びコイル７０−４を設けてもよい。これにより、紙幣の全面に渡って押さえることができるので、紙幣の捲れ上がりをさらに抑制することができる。
【００５５】
［２］実施例１では、コイル７０は略垂直方向に紙幣を移動させると共に押さえ付けることを前提に説明を行ったが、これに限定されるものではない。図１２は、他の実施例の紙葉類集積部の概略図である。例えば、図１２に示すように、紙葉類集積部（紙葉類集積装置）５４において、コイル７０は、紙幣を略水平方向に紙幣を移動させると共に押さえ付けてもよい。
【００５６】
［３］実施例１で説明した紙葉類集積部（紙葉類集積装置）５４の構成は、紙葉類を集積する機能部であればいずれにも適用可能である。すなわち、実施例１で説明した紙葉類集積部（紙葉類集積装置）５４の構成を、一時保留部４８他に適用することもできる。
【００５７】
尚、本発明は上述した実施形態そのままに限定されるものではく、実施段階でのその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素を適宜組み合わせても良い。さらに、異なる実施形態にわたる構成要素を適宜組み合わせてもよい。このような、発明の趣旨を逸脱しない範囲内において種々の変形や応用が可能であることはもちろんである。
【符号の説明】
【００５８】
１０  紙葉類取扱い装置
１２  装置筐体
１４  タッチパネル
１６  スキャナ
１８  秤部
２０  紙幣投入口
２２  硬貨投入口
２４  カードリーダ
２６  レシート発行口
２８  硬貨排出口
３０  紙幣排出口
３２  クーポン投入口
３４  扉
４２  紙葉類受入部
４４  搬送部
４６  鑑別部
４８  一時保留部
５０  還流部
５２  回収部
５４  紙葉類集積部（紙葉類集積装置）
６２，６４  ローラ
６６  底板
６８  前壁
７０  コイル
７１  コイル軸
【図１】
2015191579.tif 000003
【図２】
2015191579.tif 000004
【図３】
2015191579.tif 000005
【図４】
2015191579.tif 000006
【図５】
2015191579.tif 000007
【図６】
2015191579.tif 000008
【図７】
2015191579.tif 000009
【図８】
2015191579.tif 000010
【図９】
2015191579.tif 000011
【図１０】
2015191579.tif 000012
【図１１】
2015191579.tif 000013
【図１２】
2015191579.tif 000014